(57)【要約】      （修正有）【課題】防蟻用樹幹注入剤、その処理方法および防蟻性木材の提供。【解決手段】殺蟻有効成分としてのネオニコチノイド系化合物（例えばチアメトキサム、クロチアニジン、ジノテフランおよびアセタミプリド等）、水と混和しうる溶剤（例えば低級アルコール類、グリコール類、エーテル類、ケトン類およびエステル類等）および界面活性剤（例えばポリオキシアルキレン硬化ヒマシ油類およびポリオキシエチレンアルキルエーテル類等）を含有する防蟻用樹幹注入剤。かかる防蟻用樹幹注入剤を、生立木の樹幹に注入して、樹体内に転流することからなる木材の防蟻処理方法。かかる方法によって処理された製材後防蟻処理する必要のない防蟻性木材。【選択図】なし【特許請求の範囲】
【請求項１】
殺蟻有効成分としてのネオニコチノイド系化合物、水と混和しうる溶剤、および界面活性剤を含有することを特徴とする防蟻用樹幹注入剤。
【請求項２】
ネオニコチノイド系化合物が下記構造式でそれぞれ表される、チアメトキサム、クロチアニジン、ジノテフラン、アセタミプリドであることを特徴とする請求項１に記載の防蟻用樹幹注入剤。
【化１】
2005255567.tif 000007
【請求項３】
前記水と混和しうる溶剤が、低級アルコール類、グリコール類並びにそれらの誘導体、エーテル類、ケトン類、エステル類、スルホキシド類、ニトリル類、ピロリドン類、グリセリン類、アミド類からなる群から選ばれる少なくとも１種の溶剤であることを特徴とする請求項１または２に記載の防蟻用樹幹注入剤。
【請求項４】
前記界面活性剤が、ポリオキシアルキレン硬化ヒマシ油類、ポリオキシエチレンアルキルエーテル類、ポリオキシエチレンポリオキシプロピレンアルキルエーテル類、ポリオキシエチレンソルビタン脂肪酸エステル類、ポリオキシエチレンソルビトール脂肪酸エステル類、ポリグリセリン脂肪酸エステル類、ショ糖脂肪酸エステル類、ポリオキシアルキレン（ポリ）スチレン化フェノール類、ポリオキシアルキレン（ポリ）スチレン化クレゾール類及びこれらの硫酸エステル又はリン酸エステル又はそれらの塩からなる群から選ばれる少なくとも１種の界面活性剤であることを特徴とする請求項１〜３のいずれかに記載の防蟻用樹幹注入剤。
【請求項５】
請求項１〜４のいずれかに記載の防蟻用樹幹注入剤を、生立木の樹幹に注入して、樹体内に転流することからなることを特徴とする木材の防蟻処理方法。
【請求項６】
請求項５の方法によって処理されたことを特徴とする製材後防蟻処理する必要のない防蟻性木材。
【発明の詳細な説明】
【技術分野】
【０００１】
本発明は、ネオニコチノイド系化合物を有効成分とする防蟻用樹幹注入剤、その処理方法、及びそれによって得られる製材後防蟻処理する必要のない防蟻性木材に関する。
【背景技術】
【０００２】
日本にはヤマトシロアリ、イエシロアリなど二十余種のシロアリが生息しており、これらによる木造建築物などの被害は、火のない火災と言われるほど甚大である。特に日本の伝統的建築工法である木造軸組工法や北米における在来工法である枠組壁工法では構造材に木材を使うため、いったんシロアリの加害を受けると、再び建て直さなければならないほどの被害を受けることもある。構造材に鉄骨や鉄筋コンクリートを使用した場合でも、内壁や内装には木材が使用されることが多く、これらの木材へのシロアリの加害例も多く報告されている。
【０００３】
イエシロアリが生息する九州、四国、中国、関西、東海地方では木造で建築をする際はシロアリ予防のための、土壌への殺虫剤の散布、地上より１ｍ以下の木造部分への殺虫剤散布は必須となっている。また、床下の土壌および木部へ３〜５年毎に薬剤散布をおこなう再予防処理もおこなわなければならない。
【０００４】
シロアリの加害は構造材の内部や床下、壁の内側など人目につきにくい場所であることが多く、そのような場所のシロアリの駆除は作業が困難であることがしばしばである。
【０００５】
シロアリの加害から建築物を守るため、使用する材木には種々の方法で薬剤処理がおこなわれているが、薬剤処理の作業効率、薬剤の物理的性質による制限、作業者や環境に対する毒性の問題などからそれぞれの処理方法には一長一短がある。
【０００６】
建築用木材の防腐、防蟻処理としては、（１）立木に樹幹注入する、（２）伐倒生材の木口に薬剤処理する、（３）薬剤を木材に塗布、吹き付けする、（４）薬剤に木材を浸漬する、（５）薬剤を木材に加圧注入するなどの方法がおこなわれている。
【０００７】
立木に樹幹注入する方法は簡便な方法であるが、単木処理で大量の薬液を注入するための時間がかかるなど処理効率が悪いこと、水溶性の薬剤でなければならないことなどから現在ほとんどおこなわれていない。
【０００８】
伐倒生材の木口に薬剤処理する方法としては、落差式注入法が一般的で、伐採直後の樹皮つき生丸太の元口切断面と高所に設置した薬液タンクとを連結し、落差による水圧によって薬剤を注入するブーシェリー法や、樹皮つき丸太の元口部約１０ｃｍほど樹皮をはぎ、そこにタイヤチューブの一端をかぶせ、鉄線またはゴムバンドなどで丸太に締め付け、他端からチューブ内に薬液を入れ、丸太の元口部を高く傾斜させて放置する方法などがある。これも前記生立木への樹幹注入法と同様の理由でほとんどおこなわれていない。
【０００９】
薬液を木材に塗布、吹き付けする方法は、防腐・防蟻処理において最も一般的な方法で、家屋の建築現場で通常おこなわれている。防腐・防蟻成分を含む乳剤や水和剤を水で希釈したり、防蟻成分を灯油に希釈した薬剤を刷毛で木材に塗布したり、噴霧器で吹き付けたりして処理する方法である。しかしこの方法は処理に手間がかかることや、塗布や吹き付けにムラができたり薬剤の付着がごく表面に限定され、薬剤を充分木材中に含浸させられないなどの欠点があり、薬剤が付着していない部分や少ない部分から腐朽菌やシロアリが侵入し被害にあうことがある。また、吹き付けに際しては目的とする木材以外にも薬剤が飛散するので環境汚染の問題もある。
【００１０】
木材を薬液に浸漬する方法は、前述の塗布、吹き付けよりも確実に薬剤を木材内に含浸させることができるが、処理する木材を完全に浸漬できる大きな浸漬槽と大量の薬液を準備しなければならないなどの欠点がある。
【００１１】
薬剤を木材に加圧注入する方法は、確実にかつ短時間で木材内部まで薬剤処理できるが、加圧のための装置が必要であること、浸漬と同様大量の薬液が必要なこと、処理後の薬液の廃棄処理については公害防止の措置が必要など問題点がある。薬剤としては、防蟻・防腐を兼ねたＣＣＡ（クロム・銅・砒素）化合物系のものなどが使用されてきたが、前述のような理由で本方法による処理は急速に減少している。
【００１２】
以上述べたように、木材の防蟻処理の方法は多数あるが、いずれも問題点があるので、それぞれの状況により最も良いと思われる方法を選択して処理をおこなっているのが現状である。これらの方法の中でも生立木への樹幹注入処理は簡便で使い易いが、大量の薬剤を注入する必要があり、それには長時間を要するので、処理効率の面から現在はほとんどおこなわれていない。しかし、少量の薬剤を短時間で処理することができるような有効成分または製剤があれば広く普及するものと考えられる。
【発明の開示】
【発明が解決しようとする課題】
【００１３】
本発明は、かかる従来技術の現状に鑑み創案されたものであり、その目的は少量の薬剤を短時間で処理することができる、ネオニコチノイド系化合物を有効成分とする防蟻用樹幹注入剤、それによる木材の処理方法、さらにはその方法によって得られる木材を提供することにある。
【課題を解決するための手段】
【００１４】
本発明者は、かかる目的を達成するために鋭意検討した結果、処理効率に優れたネオニコチノイド系化合物を有効成分とする樹幹注入剤を見い出し、本発明の完成に至った。
【００１５】
ネオニコチノイド系化合物は殺蟻効果が高く、人に対する毒性が低く、気中にほとんど蒸散しない化合物として知られ、この中のいくつかはシロアリ防除薬剤として実用化されている。しかし、ネオニコチノイド系化合物は水にほとんど溶けないか、ごく微量しか溶けないので、ほとんどが水和剤の剤型で使用されている。本発明はネオニコチノイド系化合物、水と混和しうる溶剤、および界面活性剤を含む組成物によって、容易に樹幹注入でき、かかる組成物を樹体内に転流することにより、防蟻薬剤処理済の木材を得ることができることを見い出したものである。
【００１６】
即ち、本発明は殺蟻有効成分としてのネオニコチノイド系化合物（例えばチアメトキサム、クロチアニジン、ジノテフラン、アセタミプリド）、水と混和しうる溶剤、および界面活性剤を含有することを特徴とする防蟻用樹幹注入剤である。
また、本発明は、かかる防蟻用樹幹注入剤を、生立木の樹幹に注入して、樹体内に転流することからなる木材の防蟻処理方法である。
また、本発明はかかる方法によって処理された製材後防蟻処理する必要のない防蟻性木材である。
【発明を実施するための最良の形態】
【００１７】
本発明の防蟻用樹幹注入剤は、（１）殺蟻有効成分としてネオニコチノイド系化合物、（２）水と混和しうる溶剤、および（３）界面活性剤を含有することを特徴とする。
【００１８】
本発明の樹幹注入剤に使用するネオニコチノイド系化合物としては、チアメトキサム、クロチアニジン、ジノテフラン、アセタミプリドのほかニテンピラムなどが挙げられる。本発明の樹幹注入剤の殺蟻有効成分は、ネオニコチノイド系化合物に加えて、アセフェート、フェニトロチオン、エチルチオメトン、ダイアジノンなどの有機リン系殺虫剤、ペルメトリン、エトフェンプロックス、シラフルオフェンなどの合成ピレスロイド系殺虫剤、オキサミル、メソミル、ベンフラカルブなどのカーバメート系殺虫剤なども使用することができる。また、防腐のための殺菌剤を前記有効成分と混合して使用することもできる。
【００１９】
本発明の樹幹注入剤に使用される溶剤は、水と容易に混和するものが好ましく、例えばメタノール、エタノールなどの低級アルコール類、ジオキサン、テトラヒドロフランなどのエーテル類、アセトン、メチルエチルケトン、シクロヘキサノンなどのケトン類、酢酸エチル、酢酸ブチルなどのエステル類、ジメチルスルホキシドなどのスルホキシド類、アセトニトリルなどのニトリル類、Ｎ−メチルピロリドン、Ｎ−エチルピロリドンなどのピロリドン類、Ｎ，Ｎ−ジメチルホルムアミドなどのアミド類、エチレングリコール、プロピレングリコール、ジエチレングリコール及びこれらのエステル及びエーテル類などのグリコール類が挙げられる。
【００２０】
本発明の樹幹注入剤に使用される界面活性剤は、アニオン界面活性剤としてアルキル硫酸エステル類、アルカンスルホン酸類、アルキルベンゼンスルホン酸類、アルキルリン酸エステル類、Ｎ−アシルサルコシン塩類、Ｎ−アシルアラニン塩類及びコハク酸塩類が挙げられ、カチオン界面活性剤としてアルキルアミン類、アルキルトリメチルアンモニウム塩類、ジアルキルジメチルアンモニウム塩類、アルキルジメチルベンジルアンモニウム塩類及びアルキルピリジニウム塩類が挙げられ、ノニオン界面活性剤としてはポリオキシエチレンヒマシ油類、ポリオキシエチレン硬化ヒマシ油類、ポリオキシエチレンアルキルエーテル類、ポリオキシエチレンアルキルフェニルエーテル類、ポリオキシエチレンアルキルフェニルエーテルホルムアルデヒド縮合物類、ポリオキシエチレンアリルフェニルエーテル類、ポリオキシエチレンアリルフェニルエーテルホルムアルデヒド縮合物類、ポリオキシエチレングリコール脂肪酸エステル類、ポリオキシアルキレンアルキルエーテル類、ソルビタン脂肪酸エステル類、ポリオキシエチレンソルビタン脂肪酸エステル類、ポリオキシエチレンソルビトール脂肪酸エステル類、ポリグリセリン脂肪酸エステル類、ショ糖脂肪酸エステル類及びプロピレングリコールモノ脂肪酸エステル類などが挙げられる。
【００２１】
これらの界面活性剤の内では、通常は、ノニオン界面活性剤単独、或いはそれらにアニオン界面活性剤を混合して使用する。ノニオン界面活性剤の内では、ポリオキシエチレン硬化ヒマシ油類、ポリオキシエチレンアルキルエーテル類、ポリオキシアルキレンアルキルエーテル類、ポリオキシエチレンアリルフェニルエーテル類、ポリオキシエチレンソルビタン脂肪酸エステル類が好適である。
【００２２】
使用する樹幹注入剤の粘性が高いと樹体内に注入できなくなることもあるので、通常は粘性の低い溶剤と界面活性剤を使用することが好ましい。樹幹注入剤は水に希釈したときに濁りや沈殿を生じず、速やかに樹幹に注入できる４．０ｃＰ以下の製剤粘度（Ｂ型粘度計）であることが好ましい。
【００２３】
本発明の樹幹注入剤の各成分量は適宜変更できるが、有効成分を０．１〜２０重量％程度、好ましくは１〜１０重量％程度、溶剤を３０〜９０重量％程度、好ましくは４０〜７０重量％程度、界面活性剤を０〜２０重量％程度、好ましくは０〜１０重量％程度、それぞれ含有することができる。
【００２４】
本発明の樹幹注入剤はこれらの各成分を均一に溶解して調製する。調製方法は、適当な大きさのタンク中で撹拌機を用いて全量を混合溶解する。
【００２５】
本発明の樹幹注入剤の樹木への施用は、樹幹部の伐倒する部位より低い位置にドリルなどで穿孔し、適当な容器に入れた本発明の樹幹注入剤を自然注入または加圧注入することによって行う。施用量は製剤の有効成分の含有量及び樹木の材積により変わるが、有効成分の含有量３〜５重量％の製剤の場合、材積１ｍ３当たり１００〜１０００ｍｌ、好ましくは２００〜６００ｍｌである。また、薬剤の樹幹への注入は、樹幹内に均一に分散するよう２箇所以上、好ましくは２〜５箇所から行なうのが好ましい。
【実施例】
【００２６】
次に、実施例により本発明の内容を具体的に説明するが、本発明はこれらに限定されるものではない。
【００２７】
実施例１  注入製剤の処方
ネオニコチノイド系化合物であるチアメトキサムを殺蟻有効成分とする樹幹注入剤の処方例を表１に示す。
【００２８】
【表１】
2005255567.tif 000002
【００２９】
実施例２  樹木への注入
実施例１で示した処方から処方番号９の製剤を２０〜４０年生のマツに材積１ｍ３当たり２００ｍｌ、４００ｍｌ、６００ｍｌになるように、地上より３０ｃｍの位置に薬剤の樹幹注入を行なった。注入は自然圧及び加圧の両方で、各注入量ごと３本ずつ行なった。また、約３０年生のスギについてもマツと同様の樹幹注入を行なった。マツ及びスギへの薬剤の注入結果を表２及び表３に示す。
【００３０】
【表２】
2005255567.tif 000003
【００３１】
【表３】
2005255567.tif 000004
【００３２】
表２および表３に示すように、マツにおいてもスギにおいても１ｍ３当たり２００〜６００ｍｌの薬剤をスムースに注入することができた。マツにおいては自然圧では３０〜９０分、加圧では１２〜４０分で注入でき、スギでは自然圧で２５〜８０分、加圧では１２分〜３５分で注入することができた。
【００３３】
実施例３  樹幹注入処理した木材の防蟻効果
実施例２で処理したマツ及びスギの樹幹全体に薬剤を拡散させるため薬剤注入後３ヶ月立木のまま放置した。３ヵ月後、各試験区から適当に１本の試験木を選定し、地上高５０ｃｍの所から伐倒した。日陰で３ヶ月間自然乾燥し、乾燥させた材の元口から１ｍ毎に４ｍまで厚さ２ｃｍの円盤を切り出し、これより２ｃｍ×２ｃｍ×２ｃｍの木片ブロックを得た。直径１３ｃｍ、高さ３ｃｍのガラス容器の底に適当量の水分を含ませた滅菌消毒した砂を敷き、その上に木片ブロックを置いた。木片ブロックを置いたガラス容器にイエシロアリの職蟻９０頭、兵蟻１０頭を入れ、温度２５度の恒温器で４週間飼育を行ない、イエシロアリの生死と木片ブロックの食害状況（重量減少）を調査した。その結果を表４及び表５に示す。
【００３４】
【表４】
2005255567.tif 000005
【００３５】
【表５】
2005255567.tif 000006
【００３６】
表４および表５に示すように、マツにおいてもスギにおいても、いずれの注入量、注入方法においても薬剤処理したものではイエシロアリの生存はなく、木片ブロックの食害による重量減少はほとんど認められなかった。
【００３７】
本発明は、従来建築の現場で塗布や吹き付けなどの方法で木材を防蟻剤で処理する代わりに、ネオニコチノイド系化合物を含む樹幹注入剤をあらかじめ生立木に樹幹注入することにより、現場で防蟻処理する必要のない防蟻性の高い木材を得ることができる。
本発明によって処理された木材を使用することにより、建築現場での防蟻剤の塗布、吹き付けなどの処理をする必要がなくなるため、薬剤による環境汚染もない。また、木材の内部まで薬剤が分散しているため、長期間の効果が期待できる。